(57)【要約】【課題】便器と便座の隙間からの着座時の小水や、温水洗浄便座装置の局部洗浄水等の便器外へ飛散、流出を防止することが可能であり、既存の便器や便座に対しても設置可能であり、清掃性も確保しつつ、暖房便座の機能や着座感を損なうことの無い、安価な便座への装着品を提供する。【解決手段】元々便座１底面に取り付いていて便器３との衝撃を緩和するためのクッション取り付け部に圧入にて装着するクッションの装着部と同形状をなす左右の装着部２−ａ、２−ｂと、便座１先端の形状に沿ってそれらを結ぶ円弧状の部分２―ｃを一体にした装着品２を便座１のクッション取り付け部に装着させた。【選択図】　図２
2004113660.tif 000002
【特許請求の範囲】
【請求項１】
便座と、該便座の底面に該便座閉時の便器リム上面との衝撃を緩和する脚を有する便座装置において、該脚を取り付ける為の脚取り付け部に装着可能な装着部を有することを特徴とする便座装置の装着品。
【請求項２】
請求項１に記載の便座装置の装着品において、該装着品の底面が該便座が閉じた状態において該便器リム上面と接していることを特徴とする便座装置の装着品。
【請求項３】
請求項１乃至２に記載の便座装置の装着品において、該装着品の材質は該脚と略同一であることを特徴とする便座装置の装着品。
【発明の詳細な説明】
【０００１】
【発明の属する技術分野】
本発明は、簡単に便座に取り付け可能であり、小水等の汚水が便器外へ飛散・流出することを防止することが出来る便座への装着品に関するものである。
【０００２】
【従来の技術】
通常、洋風便器のリム上面と便座下面との間には、便座を便器のリム面に降ろす際の衝撃を緩和するためのクッション材として、便座とは別体にて樹脂で作製された脚が取り付けられており、便器の前部には、便器リム上面と便座底面の間にこのクッション部の高さ分の隙間が出来る。このため、従来の洋風便器においては、この隙間より、着座時の小水や、温水洗浄便座装置の局部洗浄水が洋風便器外へ飛散、流出し、便器外面や、便器周辺の床面に付着することで、汚れや臭気の原因となっていた。
【０００３】
従来、この隙間から汚水の飛散や流出を防止するために、図４のように便座の内周縁から飛散防止用の壁を設けること（例えば、特許文献１参照）や、図５のように洋風便器の前部上面に汚水流出防止体を設けること（例えば、特許文献２参照）、また図６のような便座の前部の表面に重なる上面部と便座の内周に沿って垂下する壁部とを一体とした被装体（例えば、特許文献３参照）が知られている。
【０００４】
【特許文献１】
実開平７−２３４９８号公報（第２図）
【特許文献２】
実用新案第３０４６４７６号公報（第３図）
【０００５】
【特許文献３】
特開２００２−５０６号公報（第１図）
【０００６】
【発明が解決しようとする課題】
しかし、従来の便座の内周縁から飛散防止用の壁や、洋風便器の前部上面に汚水流出防止体などの形状を便座や便器に一体に設けることは、様々な便器もしくは便座内周の形状に適応しなければならず、結果的に余裕分の隙間を設けた形状になってしまい、便器や便座によっては本来の効果が得られない課題がある。また、既存の便器に設置しようとする際には、便座ごと交換する必要があるため、容易に設置できないという問題もある。さらに、便座の上面を覆ってしまうと、暖房便座においては暖房機能を低下させてしまうことになり、着座時に段差等の違和感を感じるという問題もある。
【０００７】
そこで本発明は、便器と便座の隙間からの着座時の小水や、温水洗浄便座装置の局部洗浄水等の便器外へ飛散、流出を防止することが可能であり、既存の便器や便座に対しても設置可能であり、清掃性も確保しつつ、暖房便座の機能や着座感を損なうことの無い、安価な便座への装着品を提供することを目的とする。
【課題を解決するための手段及びその作用・効果】
請求項１に記載の便座装置の装着品は、便座と、該便座の底面に該便座閉時の便器リム上面との衝撃を緩和する脚を有する便座装置において、該脚を取り付ける為の脚取り付け部に装着可能な装着部を有することを特徴とする。
これにより、簡単に取り外し可能であり、丸洗いするなどして容易に汚れを除去することが可能である。
【０００８】
また、便座の着座する面にはなんら影響を及ぼさないため、暖房便座においてはその性能・効果を損なうことがなく、着座時も違和感を感じることは無い。
請求項２に記載の便座装置の装着品は、該装着品の底面が該便座が閉じた状態において該便器リム上面と接していることを特徴とする。
これにより、便器と便座の隙間からの着座時の小水や、温水洗浄便座装置の局部洗浄水の便器外へ飛散、流出を防止することが出来る。
【０００９】
また、便器のリム面と便座底板にて挟み込むため、便座や便器の内周形状等に影響されにくい様々な便座、便器に対応した形状にすることが可能である。
請求項３に記載の便座装置の装着品は、該装着品の材質が該脚と略同一であることを特徴とする。
【００１０】
これにより、元々便座底面に取り付いていた衝撃を緩和するためのクッション材と同一または類似の材質を用いることで、衝撃を緩和する効果も損なうことが無い。
また、便座のクッションと同様に生産することができるため、安価に提供することが可能である。
【００１１】
【発明の実施の形態】
以下に本発明の具体的な実施の形態を図１乃至図３に基づいて説明する。
図１は本発明の便座への装着品の実施の形態を示す斜視図であり、図２はこの装着品を洋風便器に取り付けた状態を示す斜視図である。また、図３は便座底面に取り付けた状態にて便座が閉状態であるときの便器および便座中心の断面を示す図である。
【００１２】
便座１の装着品２は、図１のように元々便座１底面に取り付いていて便器３との衝撃を緩和するためのクッション取り付け部に圧入にて装着するクッションの装着部と同形状をなす左右の装着部２−ａ、２−ｂと、便座１先端の形状に沿ってそれらを結ぶ円弧状の部分２―ｃを一体にしたもので、この装着品２を図２のように便座１のクッション取り付け部に装着させている。
【００１３】
この時、装着品２は、装着品２の底面が便座１が閉じた状態において図３のように便器３のリム上面３−ａと接している。これにより、便器３と便座１の隙間からの着座時の小水や、温水洗浄便座装置の局部洗浄水の便器３外へ飛散、流出を防止することが出来る。また、便器３のリム上面３−ａと装着品２の底面にて挟み込むため、便座１や便器３の内周形状等に影響されにくい様々な便座１、便器３に対応した形状にすることが出来る。
また、この時、左右の装着部２−ａ、２−ｂがクッションの装着部と同形状としている。
【００１４】
これにより、小水等が付着した装着品２を簡単に取り外すことが出来、丸洗いするなどして容易に汚れを除去することが可能である。
また、便座１の着座する面には装着品２が影響を及ぼさないため、暖房便座においてはその性能・効果を損なうことがなく、着座時も違和感を感じさせることなく装着品２の取り付けが可能である。
さらに、装着品２は元々便座１底面に取り付いていた衝撃を緩和するためのクッションと同一または類似の材質を用いている。
これにより、衝撃を緩和する効果も損なうことなく装着品２の取り付けが可能である。
また、便座１のクッションと同様に生産することができるため、安価に提供することが可能である。
【００１５】
【図面の簡単な説明】
【図１】本発明の便座の装着品の斜視図である。
【図２】本発明の便座装着品を便座底面に取り付けた状態で便座が開状態であるときの斜視図である。
【図３】本発明の便座装着品を便座底面に取り付けた状態にて便座が閉状態であるときの便器および便座中心の断面図である。
【図４】従来の汚水飛び散り防止策を示す図である。
【図５】従来の汚水飛び散り防止策を示す図である。
【図６】従来の汚水飛び散り防止策を示す図である。
【符号の説明】
１…便座
２…装着品
３…便器
【図１】
2004113660.tif 000003
【図２】
2004113660.tif 000004
【図３】
2004113660.tif 000005
【図４】
2004113660.tif 000006
【図５】
2004113660.tif 000007
【図６】
2004113660.tif 000008